【手続補正書】
【提出日】平成24年8月14日(2012.8.14)
【手続補正１】
【補正対象書類名】特許請求の範囲
【補正対象項目名】全文
【補正方法】変更
【補正の内容】
【特許請求の範囲】
【請求項１】
微粒子から表面水分を除去するためのシステムであって、
前記システムは、
前記システムを通して微粒子を移動させるための複数のリフトブレードであって、前記微粒子は、概して、それが前記システムを通して移動させられるときに乾燥し、リフトブレードは、後縁部、前縁部、取付縁部、外側縁部を有する、複数のリフトブレード
を含み、
前記システムに対する微粒子送給部の近位の前記リフトブレードの少なくとも一部分は、少なくとも１つの螺旋状構成を形成し、
前記リフトブレードの少なくとも一部分は、ブレードの前縁部を通して水平に描かれる面の傾斜の上側のブレードの後縁部の傾斜によって画定される４５°よりも小さいブレード角を有する、システム。
【請求項２】
前記リフトブレードの少なくとも一部分は、前記外側縁部から前記取付縁部を通して描かれる平面の角度までのブレードの角度として画定される−２０°から＋４０°の傾斜角を有する、請求項１に記載のシステム。
【請求項３】
微粒子から表面水分を除去するための乾燥機システムであって、
前記システムは、
ロータを含む乾燥機であって、前記ロータは、前記システムを通して微粒子を持ち上げるための複数のリフトブレードであって、前記微粒子は、概して、それが前記システムを通して移動させられるときに乾燥する、リフトブレード
を含み、
前記リフトブレードの少なくとも一部分は、少なくとも１つの螺旋状構成を形成する、乾燥機システム。
【請求項４】
前記乾燥機システムは、遠心乾燥機を含む、請求項３に記載の乾燥機システム。
【請求項５】
前記ロータは、前記微粒子が前記システムに進入する湿潤微粒子送給セクションと、前記湿潤微粒子送給セクションの上側に位置する乾燥セクションとの、少なくとも２つのセクションを含み、
前記湿潤微粒子送給セクションの所与の長さあたりのリフトブレードの数は、前記乾燥セクションの同じ長さあたりのリフトブレードの数よりも少ない、請求項３に記載の乾燥機システム。
【請求項６】
前記湿潤微粒子送給セクションの前記リフトブレードの少なくとも一部分は、少なくとも２つの螺旋状構成を形成し、かつ、ブレードの前縁部を通して水平に描かれる面の上側のブレードの後縁部の傾斜によって画定される４５°よりも小さいブレード角を有する、請求項５に記載の乾燥機システム。
【請求項７】
前記湿潤微粒子送給セクションの前記リフトブレードの少なくとも一部分は、少なくとも２つの螺旋状構成を形成し、かつ、ブレードの前縁部を通して水平に描かれる面の上側のブレードの後縁部の傾斜によって画定される４５°よりも小さいブレード角を有し、
前記湿潤微粒子送給セクションの前記リフトブレードの少なくとも一部分は、前記乾燥セクションのブレードの一部分よりも長い、請求項５に記載の乾燥機システム。
【請求項８】
前記リフトブレードの少なくとも一部分は、前記ロータに取り外し可能に取り付けられる、請求項５に記載の乾燥機システム。
【請求項９】
前記リフトブレードの少なくとも一部分は、前記外側縁部から前記取付縁部を通して描かれる平面の角度までのブレードの角度として画定される−２０°から＋４０°の傾斜角を有する、請求項３に記載のシステム。
【請求項１０】
微粒子から表面水分を除去するための乾燥機システムであって、
前記乾燥機システムは、
有孔膜内に位置付けられる微粒子リフト円筒状ロータアセンブリを有する遠心乾燥機であって、前記円筒状ロータアセンブリは、前記遠心乾燥機のセクションを通して前記微粒子を持ち上げるために、複数のリフトブレードを有する円筒状ロータアセンブリを含み、前記微粒子は、概して、それが各セクションを通して持ち上げられるときに乾燥する、遠心乾燥機
を含み、
前記遠心乾燥機の前記円筒状ロータアセンブリは、前記微粒子が前記遠心乾燥機に進入する湿潤微粒子送給セクションと、前記湿潤微粒子送給セクションの上側に位置する乾燥セクションとの、少なくとも２つのセクションを含み、前記湿潤微粒子送給セクションの所与の長さあたりのリフトブレードの数は、前記乾燥セクションの同じ長さあたりのリフトブレードの数より少ない、乾燥機システム。
【請求項１１】
前記湿潤微粒子送給セクションの前記リフトブレードの少なくとも一部分は、少なくとも１つの螺旋状構成を形成する、請求項１０に記載の乾燥機システム。
【請求項１２】
前記湿潤微粒子送給セクションの前記リフトブレードの少なくとも一部分は、少なくとも２つの螺旋状構成を形成し、４５°より小さいブレード角を有する、請求項１０に記載の乾燥機システム。
【請求項１３】
前記湿潤微粒子送給セクションの前記リフトブレードの少なくとも一部分は、少なくとも２つの螺旋状構成を形成し、４５°より小さいブレード角を有し、前記乾燥セクションのブレードよりも長い、請求項１０に記載の乾燥機システム。
【請求項１４】
前記リフトブレードの少なくとも一部分は、前記円筒状ロータアセンブリに取り外し可能に取り付けられる、請求項１０に記載の乾燥機システム。
【請求項１５】
前記リフトブレードの少なくとも一部分は、前記外側縁部から前記取付縁部を通して描かれる平面の角度までのブレードの角度として画定される−２０°から＋４０°の傾斜角を有する、請求項１０に記載の乾燥機システム。
【請求項１６】
前記有孔膜を離れての微粒子の偏向を促進するために、エンボス加工隆起プロファイルが前記有孔膜の無孔領域に提供され、その結果、隆起領域が、前記有孔膜の内面に導入される、請求項１０に記載の乾燥機システム。
【請求項１７】
前記有孔膜を離れての微粒子の偏向を促進するために、偏向器バーが前記有孔膜の無孔部分に取り付けられる、請求項１０に記載の乾燥機システム。
【請求項１８】
前記有孔膜を離れての微粒子の偏向を促進するために、取り外し可能に取り付けられる傾斜偏向器構成部品のアセンブリッジが、前記有孔膜の無孔部分に取り付けられる、請求項１０に記載の乾燥機システム。
【請求項１９】
前記アッセンブリッジは、ボルトおよびナットの接続を介して取り付けられる、請求項１８に記載の乾燥機システム。
【請求項２０】
前記有孔膜を離れての微粒子の偏向を促進するために、傾斜偏向器構成部品が、第１の有孔膜の終端部に溶接で取り付けられ、第２の有孔膜の別の終端部に取り付けられた相補的な傾斜偏向器構成部品に取り外し可能にボルト締めで取り付けられ、その結果、２つの終端部は、第１の有孔膜および第２の有孔膜の内側領域の中を対称的に指す角度部分とボルト締めで接続される、請求項１０に記載の乾燥機システム。
【請求項２１】
前記ロータは、底部分および頂部分を有し、前記ロータは、前記ロータの前記底部分の近位に位置するモータに駆動可能に接続される、請求項１０に記載の乾燥機システム。
【請求項２２】
前記ロータは、底部分および頂部分を有し、前記ロータは、前記ロータの前記頂部分の近位に位置するモータに駆動可能に接続される、請求項１０に記載の乾燥機システム。
【請求項２３】
微粒子と流体とのスラリーの形態における微粒子から表面水分を除去するための乾燥機システムであって、
前記乾燥機システムは、
脱水機であって、前記脱水機は、有孔膜内の少なくとも１つの偏向デバイスと、脱水微粒子排出シュートとを有し、前記微粒子と流体とのスラリーからバルク流体を除去する、脱水機と、
前記微粒子から水分を乾燥させるための乾燥機と
を含み、
前記脱水機の前記脱水微粒子排出シュートは、円筒状有孔脱水微粒子排出シュートを含む、乾燥機システム。
【請求項２４】
前記有孔膜と前記排出シュートとの間の傾斜角は、９０°よりも小さい、請求項２３に記載の乾燥機システム。
【請求項２５】
前記脱水機の前記少なくとも１つのデバイスは、下向きおよび外向きに先細の円錐台形デバイスを含む、請求項２３に記載の乾燥機システム。
【請求項２６】
前記脱水機の前記偏向デバイスの前記下向きおよび外向きに先細の円錐台形デバイスは、螺旋状に先細のフィンを含む、請求項２３に記載の乾燥機システム。
【請求項２７】
前記脱水機の有孔膜は、円錐台形有孔膜を含む、請求項２３に記載の乾燥機システム。
【請求項２８】
前記乾燥機は、遠心乾燥機であり、かつ、円筒状ロータアセンブリを含み、前記円筒状ロータアセンブリは、前記脱水微粒子排出シュートからの微粒子が前記遠心乾燥機に進入する湿潤微粒子送給セクションと、前記湿潤微粒子送給セクションの上側に位置する乾燥セクションとの、少なくとも２つのセクションを含み、
前記遠心乾燥機のセクションを通して脱水微粒子を持ち上げることは、リフトブレードを用いることを含み、
前記湿潤微粒子送給セクションの所与の長さあたりのリフトブレードの数は、前記乾燥セクションの同じ長さあたりのリフトブレードの数よりも少ない、請求項２３に記載の乾燥機システム。
【請求項２９】
凝集物除去グリッドを有する凝集物キャッチャをさらに含み、前記凝集物キャッチャは、前記微粒子と流体とのスラリーから微粒子凝集物を除去する、請求項２３に記載の乾燥機システム。
【請求項３０】
前記凝集物除去グリッドは、５０°よりも大きい傾斜角を有する、請求項２９に記載の乾燥機システム。
【請求項３１】
前記凝集物キャッチャーは、オーバーフロー開口部を有し、回収された凝集微粒子は、前記オーバーフロー開口部を通って凝集物オーバーフロー筺体に進入することができ、開閉手段を有する前記オーバーフロー開口部は、ゲートを有する、請求項３０に記載の乾燥機システム。
【請求項３２】
ペレタイザをさらに含み、前記ペレタイザは、ペレットの形態における微粒子を形成する、請求項２３に記載の乾燥機システム。
【請求項３３】
微粒子と流体とのスラリーの形態における微粒子から表面水分を除去するためのシステムであって、
前記システムは、
微粒子と流体とのスラリーから微粒子凝集物をキャッチする凝集物キャッチャと、
システムを通して微粒子を移動させるための複数のリフトブレードであって、前記微粒子は、概して、それが前記システムを通して移動させられるときに乾燥し、リフトブレードは、後縁部、前縁部、取付縁部、外側縁部を有する、複数のリフトブレード
を含み、
前記システムに対する微粒子送給部の近位の前記リフトブレードの少なくとも一部分は、少なくとも１つの螺旋状構成を形成し、
前記リフトブレードの少なくとも一部分は、ブレードの前縁部を通して水平に描かれる面の上側のブレードの後縁部の傾斜によって画定される４５°よりも小さいブレード角を有する、システム。
【請求項３４】
前記凝集物キャッチャーは、凝集物除去グリッドを含み、前記凝集物除去グリッドは、それを通る微粒子と流体とのスラリーの通過を許容するが、前記グリッドが許容するよりも大きなサイズの凝集微粒子を収集する、請求項３３に記載のシステム。
【請求項３５】
脱水機であって、前記脱水機は、有孔膜内の少なくとも１つの偏向デバイスと、脱水微粒子排出シュートとを有し、前記脱水機は、微粒子と流体とのスラリーからバルク流体を除去する、脱水機と、
スクリーン内に配置された微粒子リフトロータを有する遠心乾燥機であって、前記ロータは、前記遠心乾燥機のセクションを通して前記微粒子を持ち上げるために、複数のリフトブレードを含み、前記微粒子は、概して、それが各セクションを通して持ち上げられるときに乾燥する、遠心乾燥機
をさらに含み、
前記遠心乾燥機のロータは、前記脱水微粒子排出シュートからの前記微粒子が前記遠心乾燥機に進入する湿潤微粒子送給セクションと、前記湿潤微粒子送給セクションの上側に位置する乾燥セクションとの、少なくとも２つのセクションを含み、前記湿潤微粒子送給セクションの所与の長さあたりのリフトブレードの数は、前記乾燥セクションの同じ長さあたりのリフトブレードの数よりも少ない、請求項３３に記載のシステム。
【請求項３６】
前記リフトブレードの少なくとも一部分は、前記外側縁部から前記取付縁部を通して描かれる平面の角度までのブレードの角度として画定される−２０°から＋４０°の傾斜角を有する、請求項３３に記載のシステム。
【手続補正２】
【補正対象書類名】明細書
【補正対象項目名】００４９
【補正方法】変更
【補正の内容】
【００４９】
本発明のこれらおよび他の目的、特徴、および利点は、添付図面を参照して以下の明細書を読み取ることでより明らかになるであろう。
（項目１）
微粒子から表面水分を除去するための乾燥機システムであって、上記乾燥機システムは、
スクリーン内に位置付けられる微粒子リフトロータアセンブリを有する遠心乾燥機であって、上記ロータアセンブリは、上記遠心乾燥機のセクションを通して上記微粒子を持ち上げるために、複数のリフトブレードを備え、上記微粒子は、概して、それが各セクションを通して持ち上げられる時に乾燥する、遠心乾燥機を備え、
上記遠心乾燥機の上記ロータアセンブリは、上記微粒子が上記遠心乾燥機に進入する湿潤微粒子送給セクションと、上記湿潤微粒子送給セクションの上側に位置する乾燥セクションとの、少なくとも２つのセクションを備え、上記湿潤微粒子送給セクションの所与の長さあたりのリフトブレードの数は、上記乾燥セクションの同じ長さあたりのリフトブレードの数より少ない、乾燥機システム。
（項目２）
上記湿潤微粒子送給セクションの上記リフトブレードは、少なくとも１つの螺旋状構成を形成している、項目１に記載の乾燥機システム。
（項目３）
上記湿潤微粒子送給セクションの上記リフトブレードは、少なくとも２つの螺旋状構成を形成し、３５°より小さいブレード角を有する、項目１に記載の乾燥機システム。
（項目４）
上記湿潤微粒子送給セクションの上記リフトブレードは、少なくとも２つの螺旋状構成を形成し、３５°より小さいブレード角を有し、上記乾燥セクションのブレードよりも少なくとも５０％長い、項目１に記載の乾燥機システム。
（項目５）
上記リフトブレードの少なくとも一部分は、取り外し可能に取り付けられている、項目１に記載の乾燥機システム。
（項目６）
微粒子と流体とのスラリーの形態における微粒子から表面水分を除去するための乾燥機システムであって、上記乾燥機システムは、
凝集物除去グリッドを有する凝集物キャッチャであって、上記凝集物キャッチャは、上記微粒子と流体とのスラリーから微粒子凝集物を除去する、凝集物キャッチャと、
上記微粒子から水分を乾燥させるための乾燥機と
を備え、
上記凝集物除去グリッドは、５０°より大きい傾斜角を有する、乾燥機システム。
（項目７）
微粒子と流体とのスラリーの形態における微粒子から表面水分を除去するための乾燥機システムであって、上記乾燥機システムは、
脱水機であって、上記脱水機は、有孔膜内の少なくとも１つの偏向デバイスと、脱水微粒子排出シュートとを有し、上記微粒子と流体とのスラリーからバルク流体を除去する、脱水機と、
上記微粒子から水分を乾燥させるための乾燥機と
を備え、
上記脱水機の上記偏向デバイスは、下向きおよび外向きに先細の円錐台形デバイスを含む、乾燥機システム。
（項目８）
微粒子と流体とのスラリーの形態における微粒子から表面水分を除去するための乾燥機システムであって、上記乾燥機システムは、
脱水機であって、上記脱水機は、有孔膜内の少なくとも１つの偏向デバイスと、脱水微粒子排出シュートとを有し、上記微粒子と流体とのスラリーからバルク流体を除去する、脱水機と、
上記微粒子から水分を乾燥させるための乾燥機と、
を備え、
上記脱水機の上記脱水微粒子排出シュートは、円筒状有孔脱水微粒子排出シュートを含む、乾燥機システム。
（項目９）
微粒子と流体とのスラリーの形態における微粒子から表面水分を除去するための乾燥機システムであって、上記乾燥機システムは、
凝集物除去グリッドを有する凝集物キャッチャであって、上記凝集物キャッチャは、上記微粒子と流体とのスラリーから微粒子凝集物を除去する、凝集物キャッチャと、
脱水機であって、上記脱水機は、有孔膜内の少なくとも１つの偏向デバイスと、脱水微粒子排出シュートとを有し、上記微粒子と流体とのスラリーからバルク流体を除去する、脱水機と、
スクリーン内に位置付けられる微粒子リフトロータアセンブリを有する遠心乾燥機であって、上記ロータアセンブリは、上記遠心乾燥機のセクションを通して上記微粒子を持ち上げるために、複数のリフトブレードを備え、上記微粒子は、概して、それが各セクションを通して持ち上げられる時に乾燥する、遠心乾燥機と
を備え、
上記凝集物除去グリッドは、５０°より大きい傾斜角を有する、乾燥機システム。
（項目１０）
上記凝集物除去グリッドは、上記微粒子と流体とのスラリーの上記脱水機への通過を許容するが、上記グリッドが許容するよりも大きいサイズの凝集微粒子を回収し、上記回収された凝集微粒子を凝集微粒子排出シュートに向かって方向付ける、項目９に記載の乾燥機システム。
（項目１１）
上記凝集物除去グリッドは、上記微粒子と流体とのスラリーの上記脱水機への通過を許容するが、上記グリッドが許容するよりも大きいサイズの凝集微粒子を回収し、上記回収された凝集微粒子を凝集物オーバーフロー筐体に向かって方向付ける、項目９に記載の乾燥機システム。
（項目１２）
上記凝集物キャッチャは、オーバーフロー開口部を有し、上記回収された凝集微粒子は、上記オーバーフロー開口部を通って上記凝集物オーバーフロー筐体に進入することができ、上記オーバーフロー開口部は、自動開閉手段を有する、項目１１に記載の乾燥機システム。
（項目１３）
上記凝集物キャッチャは、オーバーフロー開口部を有し、上記回収された凝集微粒子は、上記オーバーフロー開口部を通って上記凝集物オーバーフロー筐体に進入することができ、上記オーバーフロー開口部は、手動で操作される開閉手段を有する、項目１１に記載の乾燥機システム。
（項目１４）
上記凝集物キャッチャは、オーバーフロー開口部を有し、上記回収された凝集微粒子は、上記オーバーフロー開口部を通って上記凝集物オーバーフロー筐体に進入することができ、上記オーバーフロー開口部は、ゲートを備える開閉手段を有する、項目１１に記載の乾燥機システム。
（項目１５）
上記微粒子と流体とのスラリーは、微粒子と水とのスラリーを含む、項目９に記載の乾燥機システム。
（項目１６）
ペレタイザをさらに備え、上記ペレタイザは、ペレットの形態における微粒子を形成する、項目９に記載の乾燥機システム。
（項目１７）
ペレタイザをさらに備え、上記ペレタイザは、マイクロペレットの形態における微粒子を形成する、項目９に記載の乾燥機システム。
（項目１８）
微粒子と流体とのスラリーの形態における微粒子から表面水分を除去するための乾燥機システムであって、上記乾燥機システムは、
凝集物除去グリッドを有する凝集物キャッチャであって、上記凝集物キャッチャは、上記微粒子と流体とのスラリーから微粒子凝集物を除去する、凝集物キャッチャと、
脱水機であって、上記脱水機は、有孔膜内の少なくとも１つの偏向デバイスと、脱水微粒子排出シュートとを有し、上記微粒子と流体とのスラリーからバルク流体を除去する、脱水機と、
スクリーン内に位置付けられる微粒子リフトロータアセンブリを有する遠心乾燥機であって、上記ロータアセンブリは、上記遠心乾燥機のセクションを通して上記微粒子を持ち上げるために、複数のリフトブレードを備え、上記微粒子は、概して、それが各セクションを通して持ち上げられる時に乾燥する、遠心乾燥機と
を備え、
上記脱水機の上記偏向デバイスは、下向きおよび外向きに先細の円錐台形デバイスを含む、乾燥機システム。
（項目１９）
上記脱水機の上記偏向デバイスの上記下向きおよび外向きに先細の円錐台形デバイスは、螺旋状に先細のフィンを含む、項目１８に記載の乾燥機システム。
（項目２０）
上記脱水機の上記有孔膜は、円錐台形有孔膜を含む、項目１８に記載の乾燥機システム。
（項目２１）
上記脱水機の上記偏向デバイスの上記下向きおよび外向きに先細の円錐台形デバイスは、螺旋状に先細のフィンを含み、上記脱水機の上記有孔膜は、円錐台形有孔膜を含む、項目１８に記載の乾燥機システム。
（項目２２）
微粒子と流体とのスラリーの形態における微粒子から表面水分を除去するための乾燥機システムであって、上記乾燥機システムは、
凝集物除去グリッドを有する凝集物キャッチャであって、上記凝集物キャッチャは、上記微粒子と流体とのスラリーから微粒子凝集物を除去する、凝集物キャッチャと、
脱水機であって、上記脱水機は、有孔膜内の少なくとも１つの偏向デバイスと、脱水微粒子排出シュートとを有し、上記微粒子と流体とのスラリーからバルク流体を除去する、脱水機と、
スクリーン内に位置付けられる微粒子リフトロータアセンブリを有する遠心乾燥機であって、上記ロータアセンブリは、上記遠心乾燥機のセクションを通して上記微粒子を持ち上げるために、複数のリフトブレードを備え、上記微粒子は、概して、それが各セクションを通して持ち上げられる時に乾燥する、遠心乾燥機と
を備え、
上記脱水機の上記脱水微粒子排出シュートは、円筒状有孔脱水微粒子排出シュートを含む、乾燥機システム。
（項目２３）
微粒子と流体とのスラリーの形態における微粒子から表面水分を除去するための乾燥機システムであって、上記乾燥機システムは、
凝集物除去グリッドを有する凝集物キャッチャであって、上記凝集物キャッチャは、上記微粒子と流体とのスラリーから微粒子凝集物を除去する、凝集物キャッチャと、
脱水機であって、上記脱水機は、有孔膜内の少なくとも１つの偏向デバイスと、脱水微粒子排出シュートとを有し、上記微粒子と流体とのスラリーからバルク流体を除去する、脱水機と、
スクリーン内に位置付けられる微粒子リフトロータアセンブリを有する遠心乾燥機であって、上記ロータアセンブリは、上記遠心乾燥機のセクションを通して上記微粒子を持ち上げるために、複数のリフトブレードを備え、上記微粒子は、概して、それが各セクションを通して持ち上げられる時に乾燥する、遠心乾燥機と
を備え、
上記遠心乾燥機の上記ロータアセンブリは、上記脱水微粒子排出シュートからの微粒子が上記遠心乾燥機に進入する湿潤微粒子送給セクションと、上記湿潤微粒子送給セクションの上側に位置する乾燥セクションとの、少なくとも２つのセクションを備え、上記湿潤微粒子送給セクションの所与の長さあたりのリフトブレードの数は、上記乾燥セクションの同じ長さあたりのリフトブレードの数より少ない、乾燥機システム。
（項目２４）
上記湿潤微粒子送給セクションの上記リフトブレードは、少なくとも１つの螺旋状構成を形成している、項目２３に記載の乾燥機システム。
（項目２５）
上記湿潤微粒子送給セクションの上記リフトブレードは、少なくとも２つの螺旋状構成を形成し、３５°より小さいブレード角を有する、項目２３に記載の乾燥機システム。
（項目２６）
上記湿潤微粒子送給セクションの上記リフトブレードは、少なくとも２つの螺旋状構成を形成し、３５°より小さいブレード角を有し、上記乾燥セクションのブレードよりも少なくとも５０％長い、項目２３に記載の乾燥機システム。
（項目２７）
上記リフトブレードの少なくとも一部分は、取り外し可能に取り付けられている、項目２３に記載の乾燥機システム。
（項目２８）
微粒子と流体とのスラリーの形態における微粒子から表面水分を除去するための乾燥機システムであって、上記乾燥機システムは、
凝集物除去グリッドを有する凝集物キャッチャであって、上記凝集物キャッチャは、上記微粒子と流体とのスラリーから微粒子凝集物を除去する、凝集物キャッチャと、
脱水機であって、上記脱水機は、有孔膜内の少なくとも１つの偏向デバイスと、脱水微粒子排出シュートとを有し、上記微粒子と流体とのスラリーからバルク流体を除去する、脱水機と、
スクリーン内に位置付けられる微粒子リフトロータアセンブリを有する遠心乾燥機であって、上記ロータアセンブリは、上記遠心乾燥機のセクションを通して上記微粒子を持ち上げるために、複数のリフトブレードを備え、上記微粒子は、概して、それが各セクションを通して持ち上げられる時に乾燥する、遠心乾燥機と
を備え、
上記凝集物除去グリッドは、５０°より大きい傾斜角を有し、
上記脱水機の上記偏向デバイスは、下向きおよび外向きに先細の円錐台形デバイスを含み、
上記脱水機の上記脱水微粒子排出シュートは、円筒状有孔脱水微粒子排出シュートを含み、
上記遠心乾燥機の上記ロータアセンブリは、上記脱水微粒子排出シュートからの微粒子が上記遠心乾燥機に進入する湿潤微粒子送給セクションと、上記湿潤微粒子送給セクションの上側に位置する乾燥セクションとの、少なくとも２つのセクションを備え、上記湿潤微粒子送給セクションの所与の長さあたりのリフトブレードの数は、上記乾燥セクションの同じ長さあたりのリフトブレードの数より少ない、乾燥機システム。
（項目２９）
ペレット化システムであって、上記ペレット化システムは、
ペレットと流体とのスラリーを形成する水中ペレタイザと、
凝集物除去グリッドを有する凝集物キャッチャであって、上記凝集物キャッチャは、上記ペレットと流体とのスラリーからペレット凝集物を除去する、凝集物キャッチャと、
脱水機であって、上記脱水機は、有孔膜内の少なくとも１つの偏向デバイスと、脱水ペレット排出シュートとを有し、上記ペレットと流体とのスラリーからバルク流体を除去する、脱水機と、
スクリーン内に位置付けられるペレットリフトロータアセンブリを有する遠心乾燥機であって、上記ロータアセンブリは、上記遠心乾燥機のセクションを通して上記ペレットを持ち上げるために、複数のリフトブレードを備え、上記ペレットは、概して、それが各セクションを通して持ち上げられる時に乾燥する、遠心乾燥機と
を備え、
上記凝集物除去グリッドは、５０°より大きい傾斜角を有し、
上記脱水機の上記偏向デバイスは、下向きおよび外向きに先細の円錐台形デバイスを含み、
上記脱水機の上記脱水ペレット排出シュートは、円筒状有孔脱水ペレット排出シュートを含み、
上記遠心乾燥機の上記ロータアセンブリは、上記脱水ペレット排出シュートからのペレットが上記遠心乾燥機に進入する湿潤ペレット送給セクションと、上記湿潤ペレット送給セクションの上側に位置する乾燥セクションとの、少なくとも２つのセクションを備え、上記湿潤ペレット送給セクションの所与の長さあたりのリフトブレードの数は、上記乾燥セクションの同じ長さあたりのリフトブレードの数より少ない、ペレット化システム。
（項目３０）
微粒子を乾燥させる方法であって、上記方法は、
湿った微粒子を提供するステップと、
遠心乾燥機のセクションを通して上記湿った微粒子を持ち上げることによって、上記微粒子から水分を乾燥させるステップであって、上記湿った微粒子は、概して、それが各セクションを通して持ち上げられる時に乾燥する、ステップと
を包含し、
上記遠心乾燥機は、ロータアセンブリを備え、上記ロータアセンブリは、上記湿った微粒子が上記遠心乾燥機に進入する湿潤微粒子送給セクションと、上記湿潤微粒子送給セクションの上側に位置する乾燥セクションとの、少なくとも２つのセクションを備え、
上記遠心乾燥機のセクションを通して湿った微粒子を持ち上げるステップは、リフトブレードを使用するステップを包含し、
上記湿潤微粒子送給セクションの所与の長さあたりのリフトブレードの数は、上記乾燥セクションの同じ長さあたりのリフトブレードの数より少ない、微粒子を乾燥させる方法。
（項目３１）
上記湿潤微粒子送給セクションの上記リフトブレードは、少なくとも１つの螺旋状構成を形成している、項目３０に記載の乾燥させる方法。
（項目３２）
上記湿潤微粒子送給セクションの上記リフトブレードは、少なくとも２つの螺旋状構成を形成し、３５°より小さいブレード角を有する、項目３０に記載の乾燥させる方法。
（項目３３）
上記湿潤微粒子送給セクションの上記リフトブレードは、少なくとも２つの螺旋状構成を形成し、３５°より小さいブレード角を有し、上記乾燥セクションのブレードよりも少なくとも５０％長い、項目３０に記載の乾燥させる方法。
（項目３４）
上記リフトブレードの少なくとも一部分は、取り外し可能に取り付けられている、項目３０に記載の乾燥させる方法。
（項目３５）
微粒子を乾燥させる方法であって、上記方法は、
微粒子と流体とのスラリーを提供するステップと、
上記微粒子と流体とのスラリーから微粒子凝集物を捕捉するステップと、
上記微粒子から水分を乾燥させるステップと
を包含し、
微粒子凝集物を捕捉するステップは、凝集物キャッチャの中に凝集物除去グリッドを提供するステップを包含し、上記凝集物除去グリッドは、５０°より大きい傾斜角を有する、微粒子を乾燥させる方法。
（項目３６）
微粒子を乾燥させる方法であって、上記方法は、
微粒子と流体とのスラリーを提供するステップと、
上記微粒子と流体とのスラリーを脱水するステップと、
上記微粒子から水分を乾燥させるステップと
を包含し、
上記微粒子と流体とのスラリーを脱水するステップは、有孔膜内の下向きおよび外向きに先細の円錐台形デバイスで、上記微粒子と流体とのスラリーを偏向させるステップを包含する、微粒子を乾燥させる方法。
（項目３７）
微粒子を乾燥させる方法であって、上記方法は、
微粒子と流体とのスラリーを提供するステップと、
上記微粒子と流体とのスラリーを脱水するステップと、
上記脱水された微粒子を脱水微粒子排出シュートへ輸送するステップと、
上記微粒子から水分を乾燥させるステップと
を包含し、
上記脱水微粒子排出シュートは、円筒状有孔脱水微粒子排出シュートを含む、微粒子を乾燥させる方法。
（項目３８）
微粒子を乾燥させる方法であって、上記方法は、
微粒子と流体とのスラリーを提供するステップと、
上記微粒子と流体とのスラリーから微粒子凝集物を捕捉するステップと、
上記微粒子と流体とのスラリーを脱水するステップと、
遠心乾燥機のセクションを通して上記脱水された微粒子を持ち上げることによって、上記脱水された微粒子を乾燥させるステップであって、上記微粒子は、概して、それが各セクションを通して持ち上げられる時に乾燥する、ステップと
を包含し、
微粒子凝集物を捕捉するステップは、凝集物キャッチャの中に凝集物除去グリッドを提供するステップを包含し、上記凝集物除去グリッドは、５０°より大きい傾斜角を有する、微粒子を乾燥させる方法。
（項目３９）
上記凝集微粒子を凝集微粒子排出シュートへ輸送するステップをさらに包含する、項目３８に記載の乾燥させる方法。
（項目４０）
上記凝集微粒子を凝集物オーバーフロー筐体に輸送するステップをさらに包含する、項目３８に記載の乾燥させる方法。
（項目４１）
上記凝集物キャッチャは、オーバーフロー開口部を有し、上記回収された凝集微粒子は、上記オーバーフロー開口部を通って上記凝集物オーバーフロー筐体に進入することができ、上記オーバーフロー開口部は、自動開閉手段を有する、項目４０に記載の乾燥させる方法。
（項目４２）
上記凝集物キャッチャは、オーバーフロー開口部を有し、上記回収された凝集微粒子は、上記オーバーフロー開口部を通って上記凝集物オーバーフロー筐体に進入することができ、上記オーバーフロー開口部は、手動で操作される開閉手段を有する、項目４０に記載の乾燥させる方法。
（項目４３）
上記微粒子と流体とのスラリーは、微粒子と水とのスラリーを含む、項目３８に記載の乾燥させる方法。
（項目４４）
材料をペレットの形態にある微粒子にペレット化するステップをさらに包含する、項目３８に記載の乾燥させる方法。
（項目４５）
材料をマイクロペレットの形態にある微粒子にペレット化するステップをさらに包含する、項目３８に記載の乾燥させる方法。
（項目４６）
微粒子を乾燥させる方法であって、上記方法は、
微粒子と流体とのスラリーを提供するステップと、
上記微粒子と流体とのスラリーから微粒子凝集物を捕捉するステップと、
上記微粒子と流体とのスラリーを脱水するステップと、
遠心乾燥機のセクションを通して上記脱水された微粒子を持ち上げることによって、上記脱水された微粒子を乾燥させるステップであって、上記微粒子は、概して、それが各セクションを通して持ち上げられる時に乾燥する、ステップと
を包含し、
上記微粒子と流体とのスラリーを脱水するステップは、有孔膜内の下向きおよび外向きに先細の円錐台形デバイスで、上記微粒子と流体とのスラリーを偏向させるステップを包含する、微粒子を乾燥させる方法。
（項目４７）
上記下向きおよび外向きに先細の円錐台形デバイスは、螺旋状に先細のフィンを含む、項目４６に記載の乾燥させる方法。
（項目４８）
上記有孔膜は、円錐台形有孔膜を含む、項目４６に記載の乾燥させる方法。
（項目４９）
微粒子を乾燥させる方法であって、上記方法は、
微粒子と流体とのスラリーを提供するステップと、
上記微粒子と流体とのスラリーから微粒子凝集物を捕捉するステップと、
上記微粒子と流体とのスラリーを脱水するステップと、
上記脱水された微粒子を脱水微粒子排出シュートへ輸送するステップと、
遠心乾燥機のセクションを通して上記脱水された微粒子を持ち上げることによって、上記脱水された微粒子を乾燥させるステップであって、上記微粒子は、概して、それが各セクションを通して持ち上げられる時に乾燥する、ステップと
を包含し、
上記脱水微粒子排出シュートは、円筒状有孔脱水微粒子排出シュートを含む、微粒子を乾燥させる方法。
（項目５０）
微粒子を乾燥させる方法であって、上記方法は、
微粒子と流体とのスラリーを提供するステップと、
上記微粒子と流体とのスラリーから微粒子凝集物を捕捉するステップと、
上記微粒子と流体とのスラリーを脱水するステップと、
上記脱水された微粒子を脱水微粒子排出シュートへ輸送するステップと、
遠心乾燥機のセクションを通して上記脱水された微粒子を持ち上げることによって、上記脱水された微粒子を乾燥させるステップであって、上記微粒子は、概して、それが各セクションを通して持ち上げられる時に乾燥する、ステップと
を包含し、
上記遠心乾燥機は、ロータアセンブリを備え、上記ロータアセンブリは、上記脱水微粒子排出シュートからの微粒子が上記遠心乾燥機に進入する湿潤微粒子送給セクションと、上記湿潤微粒子送給セクションの上側に位置する乾燥セクションとの、少なくとも２つのセクションを備え、
上記遠心乾燥機のセクションを通して上記脱水された微粒子を持ち上げるステップは、リフトブレードを使用するステップを包含し、
上記湿潤微粒子送給セクションの所与の長さあたりのリフトブレードの数は、上記乾燥セクションの同じ長さあたりのリフトブレードの数より少ない、微粒子を乾燥させる方法。
（項目５１）
上記湿潤微粒子送給セクションの上記リフトブレードは、少なくとも１つの螺旋状構成を形成している、項目５０に記載の乾燥させる方法。
（項目５２）
上記湿潤微粒子送給セクションの上記リフトブレードは、少なくとも２つの螺旋状構成を形成し、３５°より小さいブレード角を有する、項目５０に記載の乾燥させる方法。
（項目５３）
上記湿潤微粒子送給セクションの上記リフトブレードは、少なくとも２つの螺旋状構成を形成し、３５°より小さいブレード角を有し、上記乾燥セクションのブレードよりも少なくとも５０％長い、項目５０に記載の乾燥させる方法。
（項目５４）
上記リフトブレードの少なくとも一部分は、取り外し可能に取り付けられている、項目５０に記載の乾燥させる方法。
（項目５５）
微粒子を乾燥させる方法であって、上記方法は、
微粒子と流体とのスラリーを提供するステップと、
凝集物キャッチャの中の凝集物除去グリッドで、上記微粒子と流体とのスラリーから微粒子凝集物を捕捉するステップであって、上記凝集物除去グリッドは、５０°より大きい傾斜角を有する、ステップと、
上記凝集微粒子を凝集物オーバーフロー筐体に輸送するステップであって、上記凝集物キャッチャは、オーバーフロー開口部を有し、上記回収された凝集微粒子は、上記オーバーフロー開口部を通って上記凝集物オーバーフロー筐体に進入することができ、上記オーバーフロー開口部は、開閉手段を有する、ステップと、
円錐台形有孔膜内に螺旋状に先細のフィンを含む、下向きおよび外向きに先細の円錐台形デバイスで、上記微粒子と流体とのスラリーを偏向させることによって、上記微粒子と流体とのスラリーを脱水するステップと、
上記脱水された微粒子を円筒状有孔脱水微粒子排出シュートに輸送するステップと、
遠心乾燥機のセクションを通して上記脱水された微粒子を持ち上げることによって、上記脱水された微粒子を乾燥させるステップであって、上記微粒子は、概して、それが各セクションを通して持ち上げられる時に乾燥する、ステップと
を包含し、
上記遠心乾燥機は、ロータアセンブリを備え、上記ロータアセンブリは、上記脱水微粒子排出シュートからの微粒子が上記遠心乾燥機に進入する湿潤微粒子送給セクションと、上記湿潤微粒子送給セクションの上側に位置する乾燥セクションとの、少なくとも２つのセクションを備え、
上記遠心乾燥機のセクションを通して上記脱水された微粒子を持ち上げるステップは、リフトブレードを使用するステップを包含し、
上記湿潤微粒子送給セクションの所与の長さあたりのリフトブレードの数は、上記乾燥セクションの同じ長さあたりのリフトブレードの数より少ない、微粒子を乾燥させる方法。
（項目５６）
ペレットの製造方法であって、上記製造方法は、
水中ペレタイザでペレットと流体とのスラリーを提供するステップと、
凝集物キャッチャの中の凝集物除去グリッドで、上記ペレットと流体とのスラリーからペレット凝集物を捕捉するステップであって、上記凝集物除去グリッドは、５０°より大きい傾斜角を有する、ステップと、
上記凝集ペレットを凝集物オーバーフロー筐体に輸送するステップであって、上記凝集物キャッチャは、オーバーフロー開口部を有し、上記回収された凝集ペレットは、上記オーバーフロー開口部を通って上記凝集物オーバーフロー筐体に進入することができ、上記オーバーフロー開口部は、開閉手段を有する、ステップと、
円錐台形有孔膜内に螺旋状に先細のフィンを含む、下向きおよび外向きに先細の円錐台形デバイスで、上記ペレットと流体とのスラリーを偏向させることによって、上記ペレットと流体とのスラリーを脱水するステップと、
上記脱水されたペレットを円筒状有孔脱水ペレット排出シュートに輸送するステップと、
遠心乾燥機のセクションを通して上記脱水されたペレットを持ち上げることによって、上記脱水されたペレットを乾燥させるステップであって、上記ペレットは、概して、それが各セクションを通して持ち上げられる時に乾燥する、ステップと
を包含し、
上記遠心乾燥機は、ロータアセンブリを備え、上記ロータアセンブリは、上記脱水ペレット排出シュートからのペレットが上記遠心乾燥機に進入する湿潤ペレット送給セクションと、上記湿潤ペレット送給セクションの上側に位置する乾燥セクションとの、少なくとも２つのセクションを備え、
上記遠心乾燥機のセクションを通して上記脱水されたペレットを持ち上げるステップは、リフトブレードを使用するステップを包含し、
上記湿潤ペレット送給セクションの所与の長さあたりのリフトブレードの数は、上記乾燥セクションの同じ長さあたりのリフトブレードの数より少ない、ペレットの製造方法。